(57)【要約】【課題】縦枠の断熱ラインが見えないと共に、その断熱ライン部分の気密・水密が損なわれることがない断熱建具とする。【解決手段】建具枠１の縦枠１３は、室外部材５０と室内部材６０が断熱部材７０で連結された断熱形材で、その室外部材５０の外壁対向面５１と室内部材６０の外壁対向面６３が断熱ラインを介在してほぼ面一に連続し、その断熱ラインが建物外壁１７と対向して見えないようにできる。前記建具枠１の上枠１２に設けた上横気密・水密材２６を縦枠１３の断熱ラインを越えて縦気密・水密材５７と連続し、前記断熱ラインにおける室外部材５０と室内部材６０と断熱部材７０より成る凹陥部７１にスペーサ部品７３を取付け、そのスペーサ部品７３に上横気密・水密材２６を接して断熱ライン部分の気密・水密が損なわれることがないようにする。【選択図】図６
2009108545.tif 000002
【特許請求の範囲】
【請求項１】
金属製の室外部材と金属製の室内部材が断熱部材で連結された断熱形材の上枠、縦枠を用いた建具枠を備え、その上枠、縦枠に設けた気密・水密材を建物外壁に接して気密、水密するようにした断熱建具であって、
前記縦枠は、室外部材の外壁対向面と室内部材の外壁対向面とが断熱ラインを介在して略面一に連続し、その室外部材の外壁対向面に縦気密・水密材を設け、
前記上枠の室外部材の外壁対向面に上横気密・水密材を設け、この上横気密・水密材を前記縦枠の室内部材の外壁対向面、断熱ラインを越えて前記縦気密・水密材と連続させ、
前記縦枠の断熱ライン部分における室外部材と室内部材と断熱部材より成る凹陥部にスペーサ部品を取付け、このスペーサ部品に前記上横気密・水密材を接するようにしたことを特徴とする断熱建具。
【請求項２】
スペーサ部品を熱を伝え難い材質とし、このスペーサ部品で室外部材の外壁対向面と室内部材の外壁対向面を隙間なく連続するようにした請求項１記載の断熱建具。
【請求項３】
縦枠の小口キャップにスペーサ部品を設け、その小口キャップを縦枠に取付けることでスペーサ部品が縦枠の凹陥部に取付けられるようにした請求項１記載の断熱建具。
【請求項４】
所定の角度で隣接した２つの側面の一方に、断熱部材充填用の第１の凹部を有し、他方には第１の凹部の底壁を切断するための第２凹部を有した形材とし、この第１の凹部に断熱部材を充填した状態で第１の凹部の底壁を切断して室外部材と室内部材が断熱部材で連結された縦枠とした請求項１〜３いずれか１項に記載の断熱建具。
【発明の詳細な説明】
【技術分野】
【０００１】
本発明は、断熱玄関ドア、断熱窓などの断熱形材を用いた建具枠を備えた断熱建具に関する。
【背景技術】
【０００２】
従来から断熱玄関ドアが種々提案されている。
例えば、特許文献１に開示されたように、建具枠の上枠、縦枠を断熱形材、例えばアルミ押出形材から成る室内部材と室外部材を断熱部材で連結した断熱形材とした断熱玄関ドアが提案されている。
【特許文献１】特開平１０−９６３７７号公報
【発明の開示】
【発明が解決しようとする課題】
【０００３】
従来から建具枠を取付けた建物外壁と建具枠との間を気密・水密材で気密・水密することが行われている。
例えば、前述した従来の建具枠の場合には、図９に示すように、建具枠１と建物外壁２との間を気密・水密材３で気密・水密して建具枠１と建物外壁２との間から外気や雨水等が開口部４に浸入しないようにすることが考えられる。
【０００４】
しかしながら、前述した従来の建具枠１の縦枠５は、アルミ押出形材の室外部材６と室内部材７を断熱部材８で連結し、その室外部材６の建物外壁２と対向した面６ａと室内部材７の建物外壁２と対向した面７ａを面一とすると共に、断熱部材８と対向した部分を離隔して縦枠５の室内側の断熱ラインとし、前述の面６ａと面７ｂとに熱が伝わらないようにしていると共に、前述の縦枠５の室内側の断熱ラインが見えないようにして意匠を見栄え良いものとしている。
【０００５】
このようであるから、縦枠５の室内側の断熱ライン部分に、室外部材６と室内部材７と断熱部材８より成る凹陥部が形成され、前述の気密・水密材３との間に隙間９が発生し、その隙間９を通って外気や雨水等が開口部４に浸入することがある。つまり、縦枠の室内側の断熱ライン部分の気密・水密が損なわれてしまう。したがって断熱玄関ドアとしての気密・水密性能が低下すると共に、断熱性能が低下する。
【０００６】
本発明の目的は、縦枠の断熱ラインが見えないこと、その断熱ライン部分の気密・水密が損なわれることがないようにした断熱建具とすることである。
【課題を解決するための手段】
【０００７】
本発明は、金属製の室外部材と金属製の室内部材が断熱部材で連結された断熱形材の上枠、縦枠を用いた建具枠を備え、その上枠、縦枠に設けた気密・水密材を建物外壁に接して気密、水密するようにした断熱建具であって、
前記縦枠は、室外部材の外壁対向面と室内部材の外壁対向面とが断熱ラインを介在して略面一に連続し、その室外部材の外壁対向面に縦気密・水密材を設け、
前記上枠の室外部材の外壁対向面に上横気密・水密材を設け、この上横気密・水密材を前記縦枠の室内部材の外壁対向面、断熱ラインを越えて前記縦気密・水密材と連続させ、
前記縦枠の断熱ライン部分における室外部材と室内部材と断熱部材より成る凹陥部にスペーサ部品を取付け、このスペーサ部品に前記上横気密・水密材を接するようにしたことを特徴とする断熱建具である。
【０００８】
本発明においては、スペーサ部品を熱を伝え難い材質とし、このスペーサ部品で室外部材の外壁対向面と室内部材の外壁対向面を隙間なく連続するようにできる。
このようにすれば、室外部材の外壁対向面と室内部材の外壁対向面がスペーサ部品によって隙間なく連続し、各外壁対向面とスペーサ部品に上横気密・水密材が隙間なく均一に接するので、断熱ライン部分の気密・水密が損なわれることが全くない。
また、スペーサ部品を介して室外部材と室内部材に熱が伝わることがない。
【０００９】
本発明においては、縦枠の小口キャップにスペーサ部品を設け、その小口キャップを縦枠に取付けることでスペーサ部品が縦枠の凹陥部に取付けられるようにできる。
このようにすれば、小口キャップを取付けることで凹陥部にスペーサ部品が取付けられるので、スペーサ部品を取付けする特別な作業が不要である。
【００１０】
本発明においては、所定の角度で隣接した２つの側面の一方に、断熱部材充填用の第１の凹部を有し、他方には第１の凹部の底壁を切断するための第２凹部を有した形材とし、この第１の凹部に断熱部材を充填した状態で第１の凹部の底壁を切断して室外部材と室内部材が断熱部材で連結された縦枠とすることができる。
このようにすれば、断熱部材の量を少なくできる。
また、第２の凹部にカッタを挿入して第１の凹部の底壁を切断するので、その切断作業がやり易い。
【発明の効果】
【００１１】
本発明によれば、建具枠を取付けることで縦枠の断熱ラインが建物外壁と対向するので、その断熱ラインが見えない。
また、縦枠の断熱ライン部分の凹陥部にスペーサ部品が取付けられ、そのスペーサ部品に上横気密・水密材が接するので、その断熱ライン部分の気密・水密が損なわれることがない。
【発明を実施するための最良の形態】
【００１２】
図１に示すように、建具枠１０に建具体、例えばドア１１を開閉自在に取付けてある。
前記建具枠１０は上枠１２と左右の縦枠１３と下枠１４で方形状で、その上枠１２、左右の縦枠１３は断熱形材を用いており、断熱建具、例えば断熱玄関ドアとしてある。
なお、下枠１４を断熱形材を用いたものとしても良い。
前記建具枠１０は図２、図３に示すように建物躯体１５の開口部１６周縁に取付けられて、上枠１２、左右の縦枠１３が建物外壁１７に接している。
【００１３】
前記上枠１２は図２に示すように、金属製、例えばアルミ押出形材の室外部材２０と金属製、例えばアルミ押出形材の室内部材３０を断熱部材４０で連結した断熱形材である。
前記室外部材２０は建物外壁１７と対向した外壁対向面２１を有する。
例えば、前記室外部材２０は上面２２、室外側面２３、下面２４と前述の室内側の外壁対向面２１を有し、前記外壁対向面２１と下面２４を連続する室内側のコーナー部に断熱部材連結部２５を有する。
前記室内部材３０は、断熱部材連結部３１と取付部３２を有し、その断熱部材連結部３１は前記室外部材２０の外壁対向面２１と室内外側方向に同一位置の外壁対向面３３を有する。
【００１４】
前記室外部材２０の断熱部材連結部２５と室内部材３０の断熱部材連結部３１とに亘って断熱部材４０が連結され、前述の外壁対向面２１と外壁対向面３３が断熱部材４０と対向した部分で離隔し、その離隔した部分が上枠１２の建物外壁と対向した断熱ラインである。
前記室外部材２０は外壁対向面２１が上横気密・水密材２６を介して建物外壁１７に接するように取付けられる。例えば、外壁対向面２１から固着具２７を建物躯体１５に固着して取付けられる。
前記室内部材３０は、取付部３２を開口部１６内に挿入し、固着具３４を建物躯体１５に固着してスペーサ３５を介して取付けられる。
【００１５】
前記縦枠１３は図３に示すように、金属製、例えばアルミ押出形材の室外部材５０と、金属製、例えばアルミ押出形材の室内部材６０を断熱形材７０で連結した断熱形材である。
前記室外部材５０は、建物外壁１７と対向した外壁対向面５１と外側面５２と室外側面５３と内側面５４と、前記室内側面５１と内側面５４を連続する室内側コーナー面５５を有する中空断面形状である。
前記室内側コーナー面５５の内側面５４寄り部分に断熱部材連結部５６を有する。
前記室内部材６０は、断熱部材連結部６１と取付部６２を有し、その断熱部材連結部６１は前記室外部材５０の外壁対向面５１と室内外方向に同一位置の外壁対向面６３を有している。
【００１６】
前記室外部材５０の断熱部材連結部５６と室内部材６０の断熱部材連結部６１とに亘って断熱部材７０が連結され、前述の外壁対向面５１と外壁対向面６３が断熱部材７０と対向した部分で離隔し、その離隔した部分が縦枠１３の建物外壁と対向した断熱ラインである。
すなわち、室外部材５０の外壁対向面５１と室内部材６０の外壁対向面６３は断熱ラインを介在して略面一に連続する。
【００１７】
前記室外部材５０は外壁対向面５１が縦気密・水密材５７を介して建物外壁１７に接するように取付けられる。例えば、外壁対向面５１から固着具５８を建物躯体１５に固着して取付けられる。
前記室内部材６０は取付部６２を開口部１６内に挿入し、固着具６４を建物躯体１６に螺合してスペーサ６５を介して取付けられる。
【００１８】
これによって、縦枠１３の建物外壁１７と対向した断熱ラインは建物外壁１７に向かうので、見えることはない。また、前述の断熱ライン部分には室内側に開口し、室外部材５０と室内部材６０と断熱部材７０より成る凹陥部７１が形成される。
【００１９】
前記上枠１２と縦枠１３は図４に示すように、上枠１２の長手方向の端面１２ａを、縦枠１３の内側面１３ａの上端部寄りに突き当てて連結される。好ましくはシーラ１８を介して突き当てて連結される。
そして、上枠１２の室外部材２０の外壁対向面２１、室内部材３０の外壁対向面３３と縦枠１３の室外部材５０の外壁対向面５１、室内部材６０の外壁対向面６３が面一に連続する。
図４に仮想線で示すように、前記上横気密・水密材２６を縦枠１３まで配設して断熱ラインを越えて縦気密・水密材５７と連続する。
例えば、上横気密・水密材２６と縦気密・水密材５７を一体として連続させる。
または、上横気密・水密材２６と縦気密・水密材５７を圧接して連続させる。
【００２０】
このようにすると、図５に示すように縦枠１３の建物外壁と対向した断熱ライン部分と上横気密・水密材２６との間に、前述の凹陥部７１のために隙間７２が発生する。
【００２１】
そこで、本発明においては、図６、図７に示すように前述の断熱ライン部分の凹陥部７１にスペーサ部品７３を取付ける。好ましくはスペーサ部品７３を凹陥部７１に嵌合し、このスペーサ部品７３で前述の凹陥部７１を閉塞し、そのスペーサ部品７３に上横気密・水密材２６を接して前述の隙間７２が生じないようにして縦枠１３の建物外壁と対向した断熱ライン部分の気密・水密が損なわれないようにする。
【００２２】
前述のスペーサ部品７３は熱を伝え難い材質、例えばウレタン樹脂である。
これによって、スペーサ部品７３を室外部材５０の外壁対向面５１と室内部材６０の外壁対向面６３に隙間なく接して気密・水密をより優れたものにできるし、縦枠１３の室外部材５０と室内部材６０にスペーサ部品７３を介して熱が伝わることがないようにできる。
【００２３】
なお、スペーサ部品７３を室外部材５０、室内部材５１の少なくとも一方と接触しないようにすれば、スペーサ部品７３をアルミ等の金属とすることができる。
【００２４】
この実施の形態では、縦枠１３の室外部材５０は中空形状であり、その上部開口に小口キャップ８０を嵌合して取付けて閉塞するようにしてある。
この小口キャップ８０に前述のスペーサ部品７３を一体的に設け、小口キャップ８０を取付けることでスペーサ部品７３が前述の凹陥部７１に取付けられる。好ましくはスペーサ部品７３が凹陥部７１に嵌合して取付けられ、その凹陥部７１を閉塞するようにしてある。
【００２５】
この実施の形態の縦枠１３は、図８（ａ）に示すように室外部材５０と室内部材６０が一体的に連続し、その境部分には断熱部材充填用の第１の凹部９０と、その第１の凹部９０の底壁９０ａを切断するための第２の凹部９１を有する形材９２を作成、例えば形材９２をアルミ押出しで成形する。
前記形材９２は所定の角度で隣接した２つの側面を有し、その一方の側面９２ａに第１の凹部９０が形成され、他方の側面９２ｂに第２の凹部９１が形成してある。
【００２６】
図８（ｂ）に示すように、前記第１の凹部９０に断熱部材７０を充填した後に、第２の凹部９１にカッタ９３を挿入して第１の凹部９０の底壁９０ａを切断して除去して枠材９２を室外部材５０と室内部材６０に分離して図８（ｃ）に示すように前述した縦枠１３とする。
【００２７】
このようにすることで、縦枠１３の断熱部材７０の量を少なくできる。例えば、図９に示した従来の縦枠５の断熱部材８の量よりも少なくできる。
しかし、縦枠１３を前述したようにすると、カッタ９３を挿入して第１の凹部９０の底壁９０ａを切断するために第２の凹部９１を必要とするので、その第２の凹部９１のために前述の縦枠の室内側の断熱ライン部分に形成される凹陥部７１が大きくなる。
【００２８】
このために、前述の隙間７２が大きくなるので、縦枠の室内側の断熱ライン部分の気密・水密が著しく損なわれることになる。
【００２９】
本発明は、前述のように凹陥部７１にスペーサ部品７３を取付け、好ましくは嵌合して取付け凹陥部７１を閉塞し、そのスペーサ部品７３に上横気密・水密材２６を接して隙間７２が発生しないようにしたので、縦枠１３を前述のようにして製作しても縦枠の室内側の断熱ライン部分の気密・水密を損なうことがない。
【００３０】
前述の実施の形態は断熱玄関ドアとしたが、断熱窓、断熱引戸などの断熱建具とすることもできる。
【図面の簡単な説明】
【００３１】
【図１】断熱玄関ドアの概略内観図である。
【図２】図１の詳細拡大縦断面図である。
【図３】図１の詳細拡大横断面図である。
【図４】上枠と縦枠の連結部の斜視図である。
【図５】図４における上横気密・水密材部分の横断面図である。
【図６】上枠と縦枠の連結部の斜視図である。
【図７】図６における上横気密・水密材部分の横断面図である。
【図８】縦枠の製作工程の説明図である。
【図９】従来の断面図である。
【符号の説明】
【００３２】
１０…建具枠、１２…上枠、１３…縦枠、１４…下枠、１５…建物躯体、１６…開口部、１７…建物外壁、１８…シーラ、２０…室外部材、２１…外壁対向面、２６…上横気密・水密材、３０…室内部材、３３…外壁対向面、４０…断熱部材、５０…室外部材、５１…外壁対向面、５７…縦気密・水密材、６０…室内部材、６３…外壁対向面、７０…断熱部材、７１…凹陥部、７２…隙間、７３…スペーサ部品、８０…小口キャップ、９０…第１の凹部、９０ａ…底壁、９１…第２の凹部、９２…枠材、９３…カッタ。
【図１】
2009108545.tif 000003
【図２】
2009108545.tif 000004
【図３】
2009108545.tif 000005
【図４】
2009108545.tif 000006
【図５】
2009108545.tif 000007
【図６】
2009108545.tif 000008
【図７】
2009108545.tif 000009
【図８】
2009108545.tif 000010
【図９】
2009108545.tif 000011